(57)【特許請求の範囲】
【請求項１】
第１の筐体と第２の筐体とが連結部にて開閉可能に接続される携帯端末装置であって、
前記第１の筐体は、カメラモジュールを内包し、閉状態にて前記第２の筐体に対向する第１の面の端部には、前記第１の面から筐体厚さ方向に突出して形成される段部と、当該段部から前記筐体厚さ方向に突出する突出部とが形成され、
前記カメラモジュールは、前記第１の筐体内の前記段部に対応する領域と前記突出部に対応する領域とに亘って配置され、
前記第２の筐体は、端部に切り欠き部が形成され、前記第１の筐体に対向する第２の面には、前記切り欠き部から連続する窪み部が前記閉状態にて前記段部に対応する位置に形成され、
前記連結部は、前記突出部と前記切り欠き部とが回動可能に連結されて構成され、
閉状態のとき、前記段部が前記窪み部に入り込むとともに前記第１の面と前記第２の面とが前記段部の前記第１の面からの高さよりも少ない間隔にて面する
携帯端末装置。
【請求項２】
前記第２の面には入力あるいは出力のユーザインターフェースが配され、
前記窪み部は、前記ユーザインターフェースと前記切り欠き部との間の領域に形成されている
請求項１に記載の携帯端末装置。
【請求項３】
前記段部は、前記連結部の回転軸方向における長さが、前記回転軸方向における前記切り欠き部の長さよりも短い
請求項２に記載の携帯端末装置。
【請求項４】
前記連結部の回転軸方向における、前記切り欠き部の両端と、前記窪み部の両端と、前記ユーザインターフェースの両端とが連続した稜線を形成する
請求項２又は３に記載の携帯端末装置。
【請求項５】
前記窪み部は、前記ユーザインターフェース側の前記第２の面に対する窪み量が前記切り欠き部側の前記第２の面に対する窪み量よりも小さくなるように形成されている
請求項２から４のいずれか一に記載の携帯端末装置。
【請求項６】
前記突出部と前記切り欠き部とは、互いに連結された状態にて連通する孔部を有し、
前記孔部には、前記ユーザインターフェースからの入力に伴う前記カメラモジュールへの制御信号を伝送する信号線が挿通される
請求項２から５のいずれか一に記載の携帯端末装置。
【請求項７】
前記第２の筐体は、閉状態のときに、少なくとも前記連結部の回転軸方向にて前記段部と重ならない位置に通信を行うためのアンテナを内蔵する
請求項１から６のいずれか一に記載の携帯端末装置。
【発明の詳細な説明】
【技術分野】
【０００１】
本発明は、携帯電話機やノートパソコン等の携帯端末装置に関する。
【背景技術】
【０００２】
カメラモジュールを搭載した携帯電話機が知られている。このような携帯電話機では、市場においてカメラモジュールの高機能化が要求されている。例えば、高画素化、オートフォーカス機能の装備、光学ズーム機能の装備等が要求されている。しかし、このような高機能化を進めると、カメラモジュールのサイズは大きくなる。一方、携帯電話機は、良好な携帯性を確保するために、薄型のものが市場において要求されている。従って、カメラモジュールの厚さが筐体の厚さに大きな影響を及ぼすことになる。
【０００３】
引用文献１では、従来技術の欄において、筐体内部の基板上にカメラモジュールが載置される携帯電話機であって、カメラモジュールの配置位置のみを突出させた筐体とすることにより、筐体全体としては薄型化した携帯電話機が開示されている。
【０００４】
また、引用文献１では、筐体内部の基板に開口部を設け、当該基板にカメラモジュールを挿入することにより、筐体を突出させることなく、カメラモジュールの厚さまで筐体を薄型化できる携帯電話機が提案されている。
【特許文献１】特開２００２−１７１３２２号公報
【発明の開示】
【発明が解決しようとする課題】
【０００５】
しかし、カメラモジュールの配置位置を突出させると、筐体のデザイン性が損なわれることがある。また、基板にカメラモジュールを挿入して筐体を突出させないようにしても、カメラモジュールの厚さまでしか筐体を薄型化することができない。
【０００６】
本発明の目的は、デザイン性を損なうことなく薄型化が可能な、カメラモジュールを備えた携帯端末装置を提供することにある。
【課題を解決するための手段】
【０００７】
本発明の第１の観点の携帯端末装置は、第１の筐体と第２の筐体とが連結部にて開閉可能に接続される携帯端末装置であって、前記第１の筐体は、カメラモジュールを内包し、閉状態にて前記第２の筐体に対向する第１の面の端部には、前記カメラモジュールの背面が収まるよう膨らむ段部と、当該段部から突出する突出部とが形成され、前記第２の筐体は、端部に切り欠き部が形成され、前記第１の筐体に対向する第２の面には、前記切り欠き部から連続する窪み部が形成され、前記連結部は、前記突出部と前記切り欠き部とが回動可能に連結されて構成され、閉状態のとき、前記段部が前記窪み部に入り込むとともに前記第１の面と前記第２の面とが前記段部の前記第１の面からの高さよりも少ない間隔にて面する。
【０００８】
好適には、前記第２の面には入力あるいは出力のユーザインターフェースが配され、前記窪み部は、前記ユーザインターフェースと前記切り欠き部との間の領域に形成されている。
【０００９】
好適には、前記段部は、前記連結部の回転軸方向における長さが、前記回転軸方向における前記切り欠き部の長さよりも短い。
【００１０】
好適には、前記回転軸方向における、前記切り欠き部の両端と、前記窪み部の両端と、前記ユーザインターフェースの両端とが連続したラインをなす。
【００１１】
好適には、前記第２の筐体は、閉状態のときに、少なくとも前記回転軸方向にて前記段部と重ならない位置に通信を行うためのアンテナを内蔵する。
【００１２】
好適には、前記窪み部は、前記ユーザインターフェース側の前記第２の面に対する窪み量が前記切り欠き部側の前記第２の面に対する窪み量よりも小さくなるように形成されている。
【００１３】
好適には、前記ユーザインターフェースは、キー操作部であって、前記連続したラインに沿って配列された複数のキーを備えている。
【００１４】
好適には、前記突出部と前記切り欠き部とは、互いに連結された状態にて連通する孔部を有し、前記孔部には、前記ユーザインターフェースからの入力に伴う前記カメラモジュールへの制御信号を伝送する信号線が挿通される。
【００１５】
本発明の第２の観点の携帯端末装置は、第１の筐体と第２の筐体とが連結部にて開閉可能に連結され、第１の筐体に内包されたカメラモジュールを備えた携帯端末装置であって、前記連結部は、前記第１の筐体に設けられ、閉状態において前記第２の筐体に対向する面から突出する段部が、前記第２の筐体に設けられた切り欠き部に回動可能に挿入されて構成され、前記段部には、前記カメラモジュールの少なくとも一部が収納されている。
【発明の効果】
【００１６】
本発明の携帯端末装置によれば、カメラモジュールを内蔵した筐体を、デザイン性を損なうことなく薄型化できる。
【発明を実施するための最良の形態】
【００１７】
図１及び図２は、本発明の実施形態に係る携帯電話機１を示す外観斜視図である。携帯電話機１はいわゆる折り畳み式の携帯電話機として構成されており、図１は開状態を、図２（ａ）及び図２（ｂ）は閉状態をそれぞれ示している。
【００１８】
携帯電話機１は、受話筐体（第１の筐体）２と、送話筐体（第２の筐体）３とを備えている。受話筐体２及び送話筐体３は、それぞれの端部が連結部４により連結されており、携帯電話機１は、連結部４側を回動の中心として開閉可能である。受話筐体２及び送話筐体３は、それぞれ概ね薄型直方体に形成されており、閉状態では互いに重ね合わされ、一方の筐体側から他方の筐体側を見たときに互いの輪郭が略一致するようになっている。
【００１９】
受話筐体２は、閉状態で送話筐体３に対向する面（正面、第１の面Ｓ１）側の正面側ケース６と、その背面側の背面側ケース７とを備えている。正面側ケース６及び背面側ケース７は、例えば樹脂によりそれぞれ成形されている。受話筐体２の正面側ケース６には、通話用のスピーカーの放音口１３が開口し、背面側ケース７にはカメラモジュール用の開口窓１４、フラッシュ用の開口窓１５が開口している。
【００２０】
受話筐体２には、正面に画像を表示するメイン表示部（表示ユーザインターフェース）１１と、背面に画像を表示するサブ表示部１２とが設けられている。メイン表示部１１及びサブ表示部１２は、例えば液晶表示ディスプレイによって構成されている。メイン表示部１１は、例えば受話筐体２の正面側の面積の半分以上の面積を有し、受話筐体２の正面側の大部分はメイン表示部１１の保護カバー１１ａにより覆われている。保護カバー１１ａは、例えばアクリル板により形成されている。
【００２１】
送話筐体３は、閉状態で受話筐体２に対向する面（正面、第２の面Ｓ２）側の正面側ケース８と、その背面側の背面側ケース９と、背面側ケース９の背面側に被せられる蓋体１０とを備えている。正面側ケース８、背面側ケース９及び蓋体１０は、例えば樹脂によりそれぞれ成形されている。送話筐体３の正面側ケース８には通話用のマイクの集音口１８が開口し、蓋体１０には報知用スピーカーの放音口１９が開口している。
【００２２】
送話筐体３には、ユーザの操作を受け付ける操作部（操作ユーザインターフェース）１７が設けられている。操作部１７には、例えばテンキー１７ａ、カーソルキー１７ｂ、ファンクションキー１７ｃ等の各種ボタンが配置されており、正面側ケース８より露出するようになっている。なお、操作部１７の各種ボタンは連続（隣接）して設けられており、各種ボタン間には、各種ボタンを互いに隔離する仕切り（フレーム）は配置されていない。すなわち、正面側ケース８のキー配置領域には、一つの開口部８ａが設けられ、当該開口部８ａからキー１７ａ〜１７ｃが露出している。
【００２３】
図３は、開状態の携帯電話機１の連結部４付近を正面側から見た図であり、図４は、開状態の携帯電話機１の連結部４付近を背面側から見た図であり、図５は、閉状態の携帯電話機１の連結部４付近を受話筐体２及び送話筐体３の対向面に平行に見た図であり、図６は、閉状態の携帯電話機１の連結部４付近を示す断面図である（図２（ａ）のＶＩ−ＶＩ線矢視方向の断面図）である。
【００２４】
図３〜図５に示すように、連結部４は、受話筐体２の一端から突出した突出部２１が送話筐体３の一端に設けられた切り欠き部２２に嵌入されるとともに、軸部材２３が切り欠き部２２の壁部及び突出部２１に挿通されて構成されており、受話筐体２及び送話筐体３は軸部材２３を回転軸として互いに回転可能である。突出部２１は段部２５から突出しており、段部２５の一部を成している。図６に示すように、閉状態において、段部２５は切り欠き部２２に連続する窪み部２７に収納され、第１の面Ｓ１と第２の面Ｓ２とは、段部２５の裾野部分の第１の面Ｓ１からの高さよりも少ない間隔で面している。なお、第１の面Ｓ１と第２の面Ｓ２とのクリアランスは、例えば第１の面Ｓ１及び第２の面Ｓ２のうち一方に設けられた突起部が他方に当接することにより保たれる。突起部は、特に図示しないが、図１の放音口１３や集音口１８付近に設けられたゴム製の凸状部材などにより構成される。
【００２５】
図３〜図６に示すように、突出部２１は、受話筐体２の第１の面Ｓ１側に設けられている。突出部２１及び段部２５は、例えば樹脂等により正面側ケース６と一体的に形成されている。突出部２１は、回転軸方向において受話筐体２の端部中央に一つ設けられ、回転軸周りの半円筒状に概ね形成されている。突出部２１の第１の面Ｓ１からの突出量は、例えば送話筐体３の厚さと同等又はそれよりも若干小さく設定されており、開状態や閉状態において送話筐体３の正面や背面から突出部２１が突出するなどしてデザイン性が損なわれることが防止されている。突出部２１の回転軸方向の長さＬ１は比較的長く設定されている。例えば受話筐体２及び送話筐体３の幅の５割〜７割に設定されている。
【００２６】
段部２５の裾野部分は、例えば直方体状に形成され、第１の面Ｓ１よりも一段高く形成されている。回転軸方向において、段部２５の裾野部分の幅は突出部２１の幅と同等に設定されている。なお、突出部２１は切り欠き部２２に嵌合挿入可能であるから、段部２５の裾野部分の幅は切り欠き部２２の幅よりも小さい。回転軸方向に直交する方向において、段部２５の裾野部分の幅は突出部２１の幅よりも大きく設定されており、突出部２１は、段部２５の筐体端部寄りの位置から突出している。なお、段部２５は、保護カバー１１ａの連結部４側に設けられた切り欠き部に嵌合している。段部２５の第１の面Ｓ１からの高さは、閉状態における第１の面Ｓ１と第２の面Ｓ２との距離よりも大きく設定されている。
【００２７】
切り欠き部２２は、第２の面Ｓ２に直交する方向に見て、突出部２１と略同等の大きさの略矩形に形成され、送話筐体３の端部中央に位置している。図６に示すように、突出部２１の回転軸周りの外周面２１ａと切り欠き部２２の回転軸周りの壁面２２ａとの間には微小な隙間があり、突出部２１の切り欠き部２２に対する回転が許容されている。一方、図３〜図５に示すように、突出部２１の回転軸に直交する端面２１ｂと、切り欠き部２２の突出部２１を挟み込む壁面２２ｂとは互いに当接しており、これらの面は携帯電話機１の開閉の際には摺動する。
【００２８】
窪み部２７は、切り欠き部２２と操作部１７との間の領域において、第２の面Ｓ２に対して凹となるように形成されている。窪み部２７は、例えば、図６に示すように、送話筐体３の正面側ケース８の連結部４側の端部が凹状に形成されるとともに、当該凹部にアルミニウム等の導電板３１が被せられて構成されている。導電板３１により、後述するカメラモジュール３３からのノイズやカメラモジュールへ浸入するノイズが遮断される。ただし、導電板３１に代えて導電塗料を塗布してもよい。これらの導電部を基準電位ラインに導通させておけば、操作部１７に帯電した指がのっても基準電位ラインに静電気をアースすることもできる。なお、正面側ケース８を凹状に形成するのみとし、シールドのための導電板等を設けないようにしてもよい。
【００２９】
窪み部２７は、図６に示すように、操作部１７側から切り欠き部２２側へ徐々に窪みが深くなるように形成されており、窪み部２７に隣接するカーソルキー１７ｂやファンクションキー１７ｃのキー表面から自然なスロープを形成するように設けられている。換言すれば、操作部１７側の第２の面Ｓ２に対する窪み量が切り欠き部２２側の第２の面Ｓ２に対する窪み量よりも小さくなっている。
【００３０】
窪み部２７は、図３に示すように、第２の面Ｓ２に直交する方向に見て、切り欠き部２２側から操作部１７側へ幅広となる略台形状に形成されている。窪み部２７の切り欠き部２２側の幅は切り欠き部２２と同等であり、窪み部２７の操作部１７側の幅は、操作部１７の窪み部２７側の幅と同等である。従って、回転軸方向における、切り欠き部２２の両端、窪み部２７の両端、及び、操作部１７（テンキー１７ａ等を露出させている送話筐体３の開口部）の両端は、連続したラインＬＮ１をなしている。換言すれば、これらの両端の間には段差が設けられていない。例えば、切り欠き部２２においては平行に伸び、切り欠き部２２と窪み部２７との境界付近から操作部１７へかけては、徐々に互いの間隔を広げるように滑らかな曲線状に伸びている。
【００３１】
なお、突出部２１及び段部２５の突出量の基準及び窪み部２７の窪み量は、例えば受話筐体２及び送話筐体３を閉じたときに、外部から見える合わせ面を基準として特定することができる。例えば、突出部２１及び段部２５の突出量の基準ＳＴ１は、例えばメイン表示部１１の保護カバー１１ａにより規定できる。また、窪み部２７の窪み量の基準ＳＴ２は、例えば操作部１７の周囲部分８ｓ（図３参照）によって規定できる。
【００３２】
軸部材２３は、図３及び図６に示すように、例えば円筒状部分を含んで構成されており、突出部２１の端面２１ｂに開口する孔部２１ｄと、切り欠き部２２の壁部２２ｂに開口する孔部２２ｄとに挿通されている。軸部材２３は、切り欠き部２２及び突出部２１のうち少なくとも一方に対して軸支されている。なお、軸部材２３は、突出部２１の両端面２１ｂに対応して２つ設けられるが、図３では一方のみを図示している。２つの軸部材２３のうち一方には、受話筐体２と送話筐体３とを電気的に接続する信号線２９が挿通されている。なお、２つの軸部材２３のうち他方には、開閉の際のクリック感を生じさせるクリック機構が設けられている。
【００３３】
図６に示すように、受話筐体２の連結部４側の端部にはカメラモジュール３３が設けられている。カメラモジュール３３は、受話筐体２の開口窓１４からの光を受光して撮像する。カメラモジュール３３は、第１の面Ｓ１に直交する方向から見て段部２５よりも若干小さく形成されており、カメラモジュール３３の背面３３ａは、段部２５に収納されることにより、第１の面Ｓ１よりも送話筐体３側に突出した位置に配置される（図５も参照）。なお、カメラモジュール３３は、突出部２１の根元側において第１の面Ｓ１から送話筐体３側に突出しているから、カメラモジュール３３の一部が突出部２１に収納されていると捉えることもできる。
【００３４】
図７は、受話筐体２の正面側ケース６からカメラモジュール３３を取り外して示す分解斜視図である。なお、図７の紙面奥手方向が図１の紙面手前方向である。
【００３５】
カメラモジュール３３は、略直方体状の筐体３５を備えている。筐体３５には、筐体３５の略半分の大きさを有する開口窓３５ａが開口しており、筐体３５の開口窓３５ａ側の略半分の領域には、光学モジュールが収納されている。光学モジュールは、開口窓３５ａから露出するレンズ３６を含む光学レンズ、当該光学レンズの光路を開閉する不図示のメカニカルシャッタ、光学レンズからの光が結像するＣＣＤやＣＭＯＳ等の不図示の撮像素子を備えている。また、筐体３５の開口窓３５ａと反対側の略半分の領域には、光学モジュールのメカニカルシャッタ等を駆動する不図示のアクチュエータが収納されている。
【００３６】
カメラモジュール３３は、箱状のシールドケース３７に収納されるとともに、送話筐体３内部の不図示の基板等に電気的に接続するためのフレキシブルプリント配線板（ＦＰＣ）３８が接続されている。なお、シールドケース３７は、カメラモジュール３３の撮像素子へのノイズの混入等を防止するためにカメラモジュール３３に取り付けられるものであるから、カメラモジュール３３の一部として捉えてもよい。
【００３７】
正面側ケース６には、カメラモジュール３３を固定するための複数の板状のリブ３９が正面側から背面側（筐体内部側）へ突出している。カメラモジュール３３は、リブ３９間に嵌合挿入されて正面側ケース６に対して固定される。
【００３８】
また、カメラモジュール３３は、段部２５の内側面２５ａと、突出部２１内に設けられたカメラ受け部材４１とに対して背面を対向させて配置され（図６も参照）、開口窓３５ａ側から背面側ケース７が被せられることにより、正面側ケース６及び背面側ケース７に対して固定される。
【００３９】
カメラ受け部材４１は、カメラモジュール３３の背面が当接する当接部４１ａと、当接部４１ａを支持する支持部４１ｂとを備えている。当接部４１ａは、例えば段部２５の内側面２５ａに略連続する板状体により構成され、支持部４１ｂは、例えば当接部４１ａに直交するとともに回転軸に対して平行な２つの板状部により構成されている。支持部４１ｂは、突出部２１の内側面に当接して当接部４１ａを支持している。なお、当接部４１ａ及び２つの支持部４１ｂにより形成される凹部には軸部材２３が挿通されている。
【００４０】
図６に示すように、送話筐体３の背面側ケース９は、バッテリー収納空間ＢＳ等の各種電子部品の収納空間を形成するように、筐体内部側及び外部側の面に複数のリブを有して形成されており、蓋体１０はバッテリー収納空間ＢＳを含む筐体外部側の収納空間を覆うように背面側ケース９に被せられている。
【００４１】
背面側ケース９の筐体内部側には、不図示の高周波回路等が設けられるメイン基板４５が載置されている。メイン基板４５には高周波回路等をシールドするシールドケース（不図示）が被せられ、シールドケース上には複数の押圧スイッチ（不図示）が設けられたキーＦＰＣ４６が設けられている。キーＦＰＣ４６上には押圧スイッチを押圧するためのキーシート４７が配置されている。キーシート４７上には正面側ケース８が被せられ、キーシート４７はキーＦＰＣ４６と正面側ケース８に挟まれて固定されている。キーシート４７は、例えばシリコンで形成されている。
【００４２】
キー１７ａ〜１７ｃはキーシート４７に対して接着剤等により固定されている。ユーザはキー１７ａ〜１７ｃを押圧操作することにより、キーシート４７を介してキーＦＰＣ４６の押圧スイッチを押圧可能となっている。なお、操作部１７は、キー１７ａ〜１７ｃ、キーシート４７、キーＦＰＣ４６により構成されている。
【００４３】
図３に示す信号線２９の受話筐体２側は、例えばメイン表示部１１を制御するための基板等を介してカメラモジュール３３のＦＰＣ３８と接続されている。また、信号線２９の送話筐体３側は、例えばメイン基板４５（図６参照）に接続されている。メイン基板４５には操作部１７からの信号に基づいて各種の制御信号を出力する不図示のＣＰＵが設けられている。従って、信号線２９は、例えば、操作部１７からの信号を、メイン基板４５のＣＰＵを介してカメラモジュール３３に伝送する。
【００４４】
図３及び図５に示すように、送話筐体３には、電波を送受信するためのアンテナ４３が内蔵されている。アンテナ４３は、送話筐体３の連結部４側の端部であって、突出部２１を挟み込む部分に配置されている。従って、アンテナ４３は、閉状態において、少なくとも連結部４の回転軸方向にて段部２５と重ならない。なお、アンテナ４３は、閉状態において受話筐体２及び送話筐体３の重ね合わせ方向に見て段部２５と重ならない、適宜な位置に配置してよい。また、携帯電話機１は、アンテナ４３以外にもアンテナを有していてもよい。アンテナ４３以外にアンテナを有する場合、アンテナ４３は、送受話やメールの送受信等に用いられ、常時利用されるメインアンテナであってもよいし、特定のアプリケーションが起動され、通信量が増加したときに利用されるサブアンテナであってもよい。
【００４５】
以上の実施形態によれば、段部２５によりカメラモジュール３３を収納するのに必要な厚さが筐体に確保されるから、受話筐体２全体を厚くすることなくカメラモジュール３３を配置できる。そして、段部２５は連結部４を構成する突出部２１を一部に含み、閉状態において段部２５が収納される窪み部２７は連結部４を構成する切り欠き部２２に連続するから、段部２５や窪み部２７は目立たず、携帯電話機１の外観を損なうことがない。
【００４６】
段部２５は、連結部４の回転軸方向における長さが、回転軸方向における切り欠き部２５の長さよりも短いから、携帯電話機１を開閉する際に段部２５が切り欠き部２２に当接して開閉の妨げになることがない。
【００４７】
連結部４の回転軸方向における、切り欠き部２２の両端と、窪み部２７の両端と、操作部１７の両端とが連続したラインＬＮ１をなすことから、窪み部２７が一層目立たなくなる。また、送話筐体３の形状が簡素化されることにもなるから、射出成形用の金型の加工等の製造作業が容易になる。
【００４８】
送話筐体３は、閉状態のときに、連結部４の回転軸方向にて段部２５と重ならない位置に通信を行うためのアンテナ４３を内蔵するから、カメラモジュール３３とアンテナ４３との干渉が軽減される。
【００４９】
窪み部２７は、操作部１７側の第２の面Ｓ２に対する窪み量が切り欠き部２２側の第２の面Ｓ２に対する窪み量よりも小さくなるように形成されているから、窪み部２７を目立たないようにしつつ、閉状態において段部２５を収納するのに十分な窪み量を確保することができる。さらに、指先で窪み量の変化を感じ取ることにより窪み部２７の位置を把握できるから、キーのブラインドタッチが容易になる。
【００５０】
ラインＬＮ１に沿ってテンキー１７ａやファンクションキー１７ｃが配列されていることから、キーの位置を指により感知することが容易になり、ひいてはキー操作が容易になる。例えば、ラインＬＮ１に沿って指を滑らせてラインＬＮ１沿いのキーに対して指を当接させることができ、さらに、この際、窪み部２７の窪みを指により感知して操作部１７の連結部４側の境界線を認識することができる。これにより、ブラインドタッチも容易になる。
【００５１】
突出部２１と切り欠き部２２とは、互いに連結された状態にて連通する孔部２１ｄ、２２ｄを有し、孔部２１ｄ、２２ｄには、カメラモジュール２２と操作部１７との間の制御信号を伝送する信号線２９が挿通されるから、突出部２１にカメラモジュール２２だけでなく、信号線２９をも配置して突出部２１内のスペースを有効利用できる。
【００５２】
カメラモジュール３３の少なくとも一部は、切り欠き部２２に嵌合挿入される突出部２１を一部に含む段部２５に収納されるから、カメラモジュール３３を収納する厚さを、携帯電話機１の外観を損なうことなく、確保することができる。
なお、段部２５の裾野部分は、特許請求の範囲における段部の例示である。また、特許請求の範囲の筐体の厚さ方向は、閉状態にける２つの筐体の重ね合わせ方向をいうものとする。
【００５３】
本発明は以上の実施形態に限定されず、種々の態様で実施してよい。
【００５４】
本発明の携帯端末装置は、第１筐体の突出部及び第２筐体の切り欠き部により開閉可能に連結され、第１筐体にカメラモジュールが設けられるものであればよい。従って、携帯電話機に限定されず、例えばノートパソコンでもよいし、ＰＤＡでもよい。
【００５５】
段部は、第１筐体に設けられ、閉状態において第２の筐体に対向する第１の面から突出して設けられ、その少なくとも一部が第２筐体の切り欠き部と回動可能に連結され、カメラモジュールの背面側の少なくとも一部が収納されればよく、大きさ、形状は問わない。例えば、第１筐体の端部に、回転軸方向に２つ段部が設けられ、一方の段部にカメラモジュールが収納されていてもよいし、段部の回転軸方向における長さが、第１の筐体端部の回転軸方向における長さよりも短くてもよい。ただし、実施形態のように、第１の筐体の端部に段部を一つのみ設けるようにし、また、回転軸方向の長さを第１筐体の幅の半分以上とするなどすれば、比較的大きなスペースを段部内に確保することができ、カメラモジュールを収納することが容易になる。また、段部にキー等が設けられていてもよい。
【００５６】
突出部及び窪み部は必ずしも必要ではない。例えば、連結部を構成する切り欠き部よりもカメラモジュールが小さい場合には、段部によりカメラモジュール全体を収納するとともに、段部全体を切り欠き部に挿入して連結部を構成するようにし、窪み部を省略してもよい。
【００５７】
窪み部は、切り欠き部に連続して設けられ、閉状態において段部を収容可能であればよい。従って、窪み部の形状や大きさは適宜に設定してよいし、窪み部に比較的小さなキーを配置する等、窪み部にユーザインターフェースが設けられていてもよい。
【００５８】
第２の筐体に設けられ、窪み部に対して切り欠き部の反対側に設けられるユーザインターフェースは、キー操作部に限定されない。例えば、表示部であってもよい。なお、この場合、切り欠き部の両端、窪み部の両端と、表示部の両端により連続したラインを形成するようにしてもよい。
【００５９】
キー操作部は、複数のキーが連続して配置されているもの（キー間に仕切りがないもの）に限定されない。従って、各キーが一つずつ仕切られていてもよいし、各キーが所定のグループ毎に仕切られていてもよい。ただし、キー間の仕切りを排除した場合、仕切りを排除した分だけキー操作部を縮小したり、キーを大きくすることができる。
【００６０】
なお、キー間の仕切りを排除した場合、キーの位置を指先で感知することが困難になることがあり得る。しかし、窪み部や連続したライン（ＬＮ１）を設け、キーの配置領域の境界を指先で感知可能とすることにより、この問題は解決される。例えば、窪み部に離間する方向へ、少なくとも２つのキーが連続して配列されている場合、窪み部を指先で感じ取ることにより、キーの窪み部側の境界を認識することができ、ひいては当該キーに連続するキーの位置も把握できる。
【００６１】
実施形態の携帯電話機１では、切り欠き部２２、窪み部２７、操作部１７の両端に連続した稜線が形成されており、連続したラインが形成されていることが明らかである。しかし、切り欠き部の両端、窪み部の両端、ユーザインターフェース（ユーザインターフェースが露出する筐体の開口窓）の両端が段差無く連続していれば、これら両端は所定の方向（例えば第２筐体を第２の面に直交する方向）から見て連続したラインを形成するから、連続したラインは稜線に限定されるものではない。従って、例えば切り欠き部等の両端が面取りされて曲面が形成され、当該曲面が連続してラインを形成していてもよい。ただし、稜線が形成されていれば、指先で稜線を感知することができ、キーのブラインドタッチが容易になる。
【図面の簡単な説明】
【００６２】
【図１】本発明の実施形態の携帯電話機を開状態で示す外観斜視図。
【図２】図１の携帯電話機を閉状態で示す外観斜視図。
【図３】図１の携帯電話機の連結部付近を開状態で示す正面側から見た斜視図。
【図４】図１の携帯電話機の連結部付近を開状態で示す背面側から見た斜視図。
【図５】図１の携帯電話機の連結部付近を閉状態で示す連結部側から見た図。
【図６】図２のＶＩ−ＶＩ線矢視方向における断面図。
【図７】カメラモジュールを取り外して示す分解斜視図。
【符号の説明】
【００６３】
１…携帯電話機、２…第１の筐体、３…第２の筐体、４…連結部、１７…操作部（ユーザインターフェース）、２１…突出部、２５…段部、２２…切り欠き部、２７…窪み部、３３…カメラモジュール、Ｓ１…第１の面、Ｓ２…第２の面。
【図１】
0004498999.tif 000002
【図２】
0004498999.tif 000003
【図３】
0004498999.tif 000004
【図４】
0004498999.tif 000005
【図５】
0004498999.tif 000006
【図６】
0004498999.tif 000007
【図７】
0004498999.tif 000008